【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
第1のデバイスの複数のデータソースによって複数の周波数において生成されたデータ入力を同期させるための方法であって、
前記複数のデータソースのうちの第1のデータソースから第1のセットのデータポイントを受信するステップであって、前記第1のセットのデータポイントが、前記複数の周波数のうちの第1の周波数において生成されたデータポイントを含む、ステップと、
前記複数のデータソースのうちの第2のデータソースから第2のセットのデータポイントを受信するステップであって、前記第2のセットのデータポイントが、前記複数の周波数のうちの第2の周波数において生成されたデータポイントを含む、ステップと、
前記第1のセットのデータポイントの少なくともサブセットおよび前記第2のセットのデータポイントの少なくともサブセットが生成された時間期間に対応する時間ウィンドウを選択するステップと、
前記時間ウィンドウの間に受信された前記第1のセットのデータポイントの前記サブセットの第1の縮約形および前記第2のセットのデータポイントの前記サブセットの第2の縮約形を表すベクトルを生成するステップと
を含む方法。
【請求項２】
前記時間ウィンドウが、前記第1のセットのデータポイントおよび/または前記第2のセットのデータポイントに関する1つまたは複数の環境要因に基づいて選択される、請求項1に記載の方法。
【請求項３】
前記1つまたは複数の環境要因が、前記第1のセットのデータポイントおよび/または前記第2のセットのデータポイントが生成された時刻を含む、請求項2に記載の方法。
【請求項４】
前記時間ウィンドウが、前記第1のセットのデータポイントおよび/または前記第2のセットのデータポイントの量に基づいて選択される、請求項1に記載の方法。
【請求項５】
前記第1のセットのデータポイントおよび/または前記第2のセットのデータポイントの前記量が、前記第1のセットのデータポイントおよび/または前記第2のセットのデータポイントの最大カウントまたは最小カウントを含む、請求項4に記載の方法。
【請求項６】
前記生成するステップが、
前記第1のセットのデータポイントの前記サブセットおよび/または前記第2のセットのデータポイントの前記サブセットをクラスタ化するステップと、
前記第1のセットのデータポイントの前記クラスタ化されたサブセットおよび/または前記第2のセットのデータポイントの前記クラスタ化されたサブセットの1つまたは複数のクラスタ重心を決定するステップと、
前記ベクトルによって表される前記第1のセットのデータポイントの前記サブセットの前記第1の縮約形および/または前記第2のセットのデータポイントの前記サブセットの前記第2の縮約形として前記1つまたは複数のクラスタ重心を設定するステップと
を含む、請求項1に記載の方法。
【請求項７】
前記生成するステップが、
前記第1のセットのデータポイントの前記サブセットおよび/または前記第2のセットのデータポイントの前記サブセットのカウントを決定するステップと、
前記ベクトルによって表される前記第1のセットのデータポイントの前記サブセットの前記第1の縮約形および/または前記第2のセットのデータポイントの前記サブセットの前記第2の縮約形として前記カウントを設定するステップと
を含む、請求項1に記載の方法。
【請求項８】
前記生成するステップが、
前記第1のセットのデータポイントの前記サブセットおよび/または前記第2のセットのデータポイントの前記サブセットの平均値を決定するステップと、
前記ベクトルによって表される前記第1のセットのデータポイントの前記サブセットの前記第1の縮約形および/または前記第2のセットのデータポイントの前記サブセットの前記第2の縮約形として前記平均値を設定するステップと
を含む、請求項1に記載の方法。
【請求項９】
前記第1のデバイスから第2のデバイスに第1のユーザモデルを送信するステップであって、前記第1のユーザモデルが、少なくとも前記ベクトルを含む、ステップと、
前記第2のデバイスから第2のユーザモデルを受信するステップであって、前記第2のユーザモデルが、少なくとも第2のベクトルを含み、前記第2のベクトルが、第2の時間ウィンドウの間に受信された第3のセットのデータポイントのサブセットの第3の縮約形および第4のセットのデータポイントのサブセットの第4の縮約形を表す、ステップと
をさらに含む、請求項1に記載の方法。
【請求項１０】
少なくとも前記ベクトルを少なくとも前記第2のベクトルと比較するステップと、
前記時間ウィンドウが前記第2の時間ウィンドウのしきい値時間期間内であるかどうかを判断するステップと、
前記第1のセットのデータポイントの前記サブセットの前記第1の縮約形および/または前記第2のセットのデータポイントの前記サブセットの前記第2の縮約形が前記第3のセットのデータポイントの前記サブセットの前記第3の縮約形および/または前記第4のセットのデータポイントの前記サブセットの前記第4の縮約形のしきい値内であるかどうかを判断するステップと、
前記時間ウィンドウが前記第2の時間ウィンドウの前記しきい値時間期間内であることならびに前記第1のセットのデータポイントの前記サブセットの前記第1の縮約形および/または前記第2のセットのデータポイントの前記サブセットの前記第2の縮約形が前記第3のセットのデータポイントの前記サブセットの前記第3の縮約形および/または前記第4のセットのデータポイントの前記サブセットの前記第4の縮約形の前記しきい値内であることに基づいて、前記第1のデバイスと前記第2のデバイスとの間に相関関係があると判断するステップと
をさらに含む、請求項9に記載の方法。
【請求項１１】
前記第1のユーザモデルが、複数のベクトルを含み、前記複数のベクトルが、前記第1のセットのデータポイントの縮約形および前記第2のセットのデータポイントの縮約形を表し、前記第1のセットのデータポイントおよび前記第2のセットのデータポイントが、複数の時間ウィンドウの間に受信され、前記複数のベクトルのうちの各ベクトルが、1つの時間ウィンドウに対応する、請求項9に記載の方法。
【請求項１２】
前記第2のユーザモデルが、複数のベクトルを含み、前記複数のベクトルが、前記第3のセットのデータポイントの縮約形および前記第4のセットのデータポイントの縮約形を表し、前記第3のセットのデータポイントおよび前記第4のセットのデータポイントが、複数の時間ウィンドウの間に受信され、前記複数のベクトルのうちの各ベクトルが、1つの時間ウィンドウに対応する、請求項9に記載の方法。
【請求項１３】
前記第1のセットのデータポイントの少なくとも第2のサブセットおよび前記第2のセットのデータポイントの少なくとも第2のサブセットが生成された時間期間に対応する第2の時間ウィンドウを選択するステップと、
前記第2の時間ウィンドウの間に受信された前記第1のセットのデータポイントの前記第2のサブセットの縮約形および前記第2のセットのデータポイントの前記第2のサブセットの縮約形を表す第2のベクトルを生成するステップと
をさらに含む、請求項1に記載の方法。
【請求項１４】
第1のデバイスの複数のデータソースによって複数の周波数において生成されたデータ入力を同期させるための装置であって、
前記複数のデータソースのうちの第1のデータソースから第1のセットのデータポイントを受信するための手段であって、前記第1のセットのデータポイントが、前記複数の周波数のうちの第1の周波数において生成されたデータポイントを含む、手段と、
前記複数のデータソースのうちの第2のデータソースから第2のセットのデータポイントを受信するための手段であって、前記第2のセットのデータポイントが、前記複数の周波数のうちの第2の周波数において生成されたデータポイントを含む、手段と、
前記第1のセットのデータポイントの少なくともサブセットおよび前記第2のセットのデータポイントの少なくともサブセットが生成された時間期間に対応する時間ウィンドウを選択するための手段と、
前記時間ウィンドウの間に受信された前記第1のセットのデータポイントの前記サブセットの第1の縮約形および前記第2のセットのデータポイントの前記サブセットの第2の縮約形を表すベクトルを生成するための手段と
を備える装置。
【請求項１５】
第1のデバイスの複数のデータソースによって複数の周波数において生成されたデータ入力を同期させるためのコンピュータ可読記憶媒体であって、
前記複数のデータソースのうちの第1のデータソースから第1のセットのデータポイントを受信するための少なくとも1つの命令であって、前記第1のセットのデータポイントが、前記複数の周波数のうちの第1の周波数において生成されたデータポイントを含む、少なくとも1つの命令と、
前記複数のデータソースのうちの第2のデータソースから第2のセットのデータポイントを受信するための少なくとも1つの命令であって、前記第2のセットのデータポイントが、前記複数の周波数のうちの第2の周波数において生成されたデータポイントを含む、少なくとも1つの命令と、
前記第1のセットのデータポイントの少なくともサブセットおよび前記第2のセットのデータポイントの少なくともサブセットが生成された時間期間に対応する時間ウィンドウを選択するための少なくとも1つの命令と、
前記時間ウィンドウの間に受信された前記第1のセットのデータポイントの前記サブセットの第1の縮約形および前記第2のセットのデータポイントの前記サブセットの第2の縮約形を表すベクトルを生成するための少なくとも1つの命令と
を含むコンピュータ可読記憶媒体。